(57)【要約】【課題】被取付板の厚さが異なっていても、また被取付板の面形状が平面、曲面であっても、取付け可能な物品固定構造及び該物品固定構造を備えたコントローラを提供することを目的とする。【解決手段】被取付板６に形成された窓孔部９の縁部８の表面８ａに当接する当接部１５を有するフランジ部１４と、窓孔部９の縁部８の裏面８ｂに当接する係合部１２ｃ、１２ｄとを具備し、複数の係合部１２ｃ、１２ｄが当接部１５と共働して被取付板を挟持して固定される。【選択図】図２
2015150040.tif 000002
【特許請求の範囲】
【請求項１】
被取付板に形成された窓孔部の縁部の表面に当接する当接部を有するフランジ部と、前記窓孔部の縁部の裏面に当接する係合部とを具備し、前記当接部と前記係合部とが共働して前記被取付板を挟持して固定される物品であって、前記係合部が複数設けられていることを特徴とする物品固定構造。
【請求項２】
前記係合部は、一端が弾性変形可能に支持された係止片に設けられた逆止爪からなることを特徴とする請求項１に記載の物品固定構造。
【請求項３】
前記当接部は、前記物品の中央部から端部に向かって傾斜する傾斜面を有することを特徴とする請求項１または２に記載の物品固定構造。
【請求項４】
前記物品は、その中心軸に対し対称に形成されていることを特徴とする請求項１ないし３のいずれかに記載の物品固定構造。
【請求項５】
請求項１ないし４のいずれかに記載の物品固定構造を備えることを特徴とするコントローラ。
【発明の詳細な説明】
【技術分野】
【０００１】
本発明は、物品をパネルに固定するための物品固定構造及び該物品固定構造を備えたデパート、コンビニエンスストア等に設置されるショーケース用コントローラに関する。
【背景技術】
【０００２】
従来、デパートの食品売場やスーパーマーケット、コンビニエンスストア等にて多段型、平型等の冷凍冷蔵ショーケースが使用されている。冷凍冷蔵ショーケースには、ショーケース内の温度の表示や、設定温度の入力、照明のオン・オフをするためのコントローラが、ショーケースの前側上部の被取付板、ショーケースの前側下部の被取付板、手摺等に取付けられていた（例えば、特許文献１参照）。
【先行技術文献】
【特許文献】
【０００３】
【特許文献１】特許第３６１５３８１号公報
【発明の概要】
【発明が解決しようとする課題】
【０００４】
しかしながら、特許文献１にあっては、被取付板の厚みに合致させた固定金具の係合片を介して温度計を被取付板に取付けるようにしているため、板厚に応じて異なる固定金具を用意する必要があった。
【０００５】
また、特許文献１の温度計は、平面状の被取付板にのみ取付け可能であり、曲面の被取付板に取付けることはできない虞がある。
【０００６】
本発明は、このような問題点に着目してなされたもので、被取付板の厚さが異なっていても、また被取付板の面形状が平面、曲面であっても、取付け可能な物品固定構造及び該物品固定構造を備えたコントローラを提供することを目的とする。
【課題を解決するための手段】
【０００７】
前記課題を解決するために、本発明の物品固定構造は、
被取付板に形成された窓孔部の縁部の表面に当接する当接部を有するフランジ部と、前記窓孔部の縁部の裏面に当接する係合部とを具備し、前記当接部と前記係合部とが共働して前記被取付板を挟持して固定される物品であって、前記係合部が複数設けられていることを特徴としている。
この特徴によれば、被取付板の板厚、被取付板の面形状に対応した係合部を複数設け、板厚、面状に対応した係合部と当接部とが共働して被取付板を挟持して固定するので、被取付板の厚さ、被取付板の面形状が異なっていても、物品は、被取付板に取付けることができる。
【０００８】
本発明の物品固定構造は、
前記係合部は、一端が弾性変形可能に支持された係止片に設けられた逆止爪からなることを特徴としている。
この特徴によれば、当接部と共働して被取付板を挟持、固定する複数の逆止爪が弾性変形可能に支持された係止片に設けられるので、物品固定時は、係止片が弾性変形して物品を窓孔部に容易に挿入することができ、物品固定後は、逆止爪によって確実に固定することができる。
【０００９】
本発明の物品固定構造は、
前記当接部は、前記物品の中央部から端部に向かって傾斜する傾斜面を有することを特徴としている。
この特徴によれば、当接部は、物品の中央部から端部に向かって傾斜する傾斜面を有するので、被取付板の面形状が曲面であっても、被取付板は、前記傾斜面に沿って係合部と共働して挟持、固定され、物品を確実に取付けることができる。
【００１０】
本発明の物品固定構造は、
前記物品は、その中心軸に対し対称に形成されていることを特徴としている。
この特徴によれば、物品は、その中心軸に対し対称に形成されることにより、一対の係合部と当接部とが共働して被取付板を挟持して固定するので、物品は、確実に被取付板に固定される。
【００１１】
本発明のコントローラは、
本発明の物品固定構造を備えることを特徴としている。
この特徴によれば、被取付板の板厚、被取付板の面形状に影響されないで、コントローラを操作しやすい位置、コントローラの視認性が高まる位置またはコントローラを目立たない位置等に、自由に取付けることができるので、操作性、意匠性等を向上させることができる。
【図面の簡単な説明】
【００１２】
【図１】実施例１における物品固定構造を備えたコントローラを適用したショーケースの斜視図である。
【図２】物品固定構造を備えたコントローラを被取付板の窓孔部に取付けるときの図である。
【図３】物品固定構造を備えたコントローラの正面図及び側面図を示す図である。
【図４】（ａ）は、図３のＡ矢視図、（ｂ）は、図４（ａ）のＢ−Ｂ断面図である。
【図５】物品固定構造を備えたコントローラを平板状の被取付板に取付けた状態を示す図である。
【図６】物品固定構造を備えたコントローラを曲面状の被取付板に取付けた状態を示す図である。
【図７】（ａ）は、物品固定構造を備えたコントローラを被取付板の窓孔部に挿入するときの状態を示す図、（ｂ）は、物品固定構造を備えたコントローラを被取付板の窓孔部に取付けた状態を示す図、（ｃ）は、被取付板の窓孔部に取付けられた物品固定構造を備えたコントローラの取外し方法を説明する図である。
【発明を実施するための形態】
【００１３】
本発明に係る物品固定構造及び該物品固定構造を備えたコントローラを実施するための形態を実施例に基づいて以下に説明する。
【実施例１】
【００１４】
実施例１に係る物品固定構造及び該物品固定構造を備えたコントローラにつき、図１から図７を参照して説明する。なお、実施例１においては、本発明の物品としてコントローラに適用した例を示しているが、物品は、コントローラに限らず、ケースをパネルに固定するものであれば、どのような物品であってもよい。
【００１５】
ショーケース１の全体構成について説明する。図１の符号１は、本発明の物品固定構造を備えたコントローラを取付けたショーケース１である。このショーケース１は、縦型オープンショーケースから成るショーケース１で、本体を構成する断面略コ字状の断熱壁２と、この断熱壁２の両側に設けられた側板２Ａ、２Ｂとから構成されており、断熱壁２の内側を複数の商品を低温に保って冷凍または冷蔵した状態で陳列可能な保冷室３を有する。また、保冷室３の内部には、商品を陳列するための陳列棚４、４、…が上下多段に取付けられている。
【００１６】
また、ショーケース１は保冷室３の外側に、図示しないダクト及び冷却装置を構成する送風機と冷却器を備えており、送風機が運転されるとダクト内の空気は、冷却器と熱交換した後、開口上縁部の吐出口（図示せず）から開口下縁部の吸込口（図示せず）に向けて吹き出される。
【００１７】
これによって、保冷室３の開口に冷気エアーカーテンが形成されると共に、この冷気エアーカーテンによって、開口から保冷室３への外気の侵入が阻止若しくは抑制される。そして、冷気エアーカーテンの冷気の一部は保冷室３内に循環すると同時に、冷気エアーカーテンの冷気によって、陳列棚４、４、…上の販売商品（図示せず）を冷却している。
【００１８】
次に、本発明の物品固定構造及び該物品固定構造を備えるコントローラ１０の構成について説明する。図１に示すように、本発明の被取付板としての前側上部パネル６には、コントローラ１０が取付けられている。図１の前側上部パネル６の面形状は、平面状であるが、曲面状としてもよい。また、図２に示すように、前側上部パネル６には、横長矩形状の窓孔部９が形成され、この窓孔部９は、コントローラ１０を係合可能な大きさに形成されている。
【００１９】
図２及び図３に示すように、コントローラ１０は、その底面２０が開放された箱型に形成され、一対の側壁１１、１１、一対の側壁１３、１３、フランジ部１４、フランジ部１４の上面には保冷室３内の温度、設定モード、設定値等を表示するための表示部１６、設定モードの切換え、設定値の値を変更、ショーケース１の運転停止、保冷室３内の照明をオン・オフ等するための操作部１７、１７…を備えている。
【００２０】
箱型に形成されたコントローラ１０の内部には、制御部（図示せず）が設けられている。感温部（図示せず）によって検出された保冷室３内の温度の信号は、制御部に伝達され表示部１６に表示される。また、検出された温度と設定温度との差が所定の値より大きい場合には、制御部は冷却装置を制御して、保冷室３内の温度は設定温度に保つように制御される。
【００２１】
図２〜図４に示すように、一対の側壁１１、１１には、それぞれ係止片１２が設けられている。係止片１２は、その３辺を囲む溝２１が設けられ、係止片１２の基部１２ａは側壁１１、１１と一体に形成され、係止片１２は、弾性変形可能に支持されている。さらに、係止片１２には、係止片１２の基部１２ａからフランジ部１４に向かうにつれて、係止片１２の厚さが徐々に拡大する傾斜面１２ｂを有し、本発明の係合部としての逆止爪１２ｃ、１２ｄが階段状に形成されている。
【００２２】
また、図２〜図４に示すように、コントローラ１０のフランジ部１４には、前側上部パネル６の縁部８の表面８ａと当接する当接部１５が形成されている。当接部１５は、端部が水平に形成される当接部１５ａと傾斜面を有する当接部１５ｂを有している。水平に形成される当接部１５ａは、平面状の前側上部パネル６に当接し、傾斜面を有する当接部１５ｂは、曲面状の平面状の前側上部パネル６に当接する。
【００２３】
次に、コントローラ１０を平板状の前側上部パネル６に取付ける手順について説明する。先ず、コントローラ１０は、冷却装置、温度計、照明等との配線を完了しておく。図２に示すように、配線を完了したコントローラ１０は、窓孔部９に挿入される。このとき、コントローラ１０の係止片１２は、一端が弾性変形可能に支持されているので、図７（ａ）に示すように、前側上部パネル６の縁部８の表面８ａの角部と接触し、係止片１２は変形しながら押込まれる。そして、図５、図７（ｂ）に示すように、フランジ部１４の当接部１５ａと前側上部パネル６の縁部８の表面８ａとが当接し、さらに係止片１２の逆止爪１２ｃと前側上部パネル６の縁部８の裏面８ｂとが当接することによって、フランジ部１４の当接部１５ａと逆止爪１２ｃとが共働して、平面状の前側上部パネル６を挟持し、固定する。また、逆止爪１２ｃは、逆止爪となっているので、フランジ部１４の当接部１５ａと逆止爪１２ｃとが共働して、前側上部パネル６は、挟持、固定される。
【００２４】
次に、コントローラ１０を曲面状の前側上部パネル６’に取付ける手順について説明する。上述の平板上の前側上部パネル６と同様に、配線を完了したコントローラ１０は、窓孔部９に挿入し、図６に示すように、フランジ部１４の当接部１５ｂと前側上部パネル６’の縁部８’の表面８ａ’とが当接し、さらに係止片１２の逆止爪１２ｄと前側上部パネル６’の縁部８’の裏面８ｂ’とが当接することによって、フランジ部１４の当接部１５ｂと逆止爪１２ｄとが共働して、曲面状の前側上部パネル６’を挟持し、固定する。
【００２５】
以上のように、係止片１２には、平面状の前側上部パネル６用の逆止爪１２ｃ、曲面状の前側上部パネル６’用の逆止爪１２ｄが２個形成されている。そして、平板状の前側上部パネル６は、平板用の逆止爪１２ｃと水平に形成される当接部１５ａとが共働して、挟持、固定される。一方、曲面状の前側上部パネル６’は、曲面用の逆止爪１２ｄと傾斜して形成された当接部１５ｂとが共働して、挟持、固定される。
【００２６】
上記実施例においては、コントローラ１０を平板状の前側上部パネル６と曲面状の前側上部パネル６’に固定する実施例を示したが、これに限らず、前側上部パネル６の形状は平板状で、板厚のみが異なる場合、前側上部パネルの形状６’は曲面状で、曲率のみが異なる場合にも対応できる。板厚のみが異なる前側上部パネル６の場合には、板厚に対応した逆止爪を複数設け、板厚に対応した逆止爪と水平に形成される当接部１５ａとが共働して、前側上部パネルを挟持、固定されるようにすることができる。また、前側上部パネル６’の曲率のみが異なる場合には、曲率に対応した係合部を複数設け、曲率に対応した複数の逆止爪と傾斜面を有する当接部１５ｂとが共働して、前側上部パネルを挟持、固定されるようにすることができる。ここで、当接部１５ｂの傾斜面は、曲率に応じて傾斜の異なる面を複数設けてもよいし、曲率が異なっても１種類の傾斜面としてもよい。
【００２７】
なお、図７（ｃ）に示すように、コントローラ１０を前側上部パネル６から取外すときは、ドライバー等の棒状部材３０を使用して、係止片１２の端面１２ｅを押して、係止片１２を変形させることによって、コントローラ１０を矢印の方向に移動させて、取外すことができる。
【００２８】
本実施例１のケース固定構造及び該ケース固定構造を備えたコントローラにおいては、以下のような作用効果を奏する。
【００２９】
本発明のケース固定構造及び該ケース固定構造を備えたコントローラによれば、平板状の前側上部パネル６の場合には、板厚に対応した逆止爪を複数設け、板厚に対応した複数の逆止爪と水平に形成される当接部１５ａとが共働して、前側上部パネル６を挟持、固定されるようにすることができるので、本発明のケース固定構造及び該ケース固定構造を備えたコントローラは、前側上部パネル６の厚さが異なっていても、取付け可能とすることができる。
【００３０】
また、曲面状の前側上部パネル６’の場合には、曲率に対応した逆止爪を複数設け、曲率に対応した複数の逆止爪と傾斜面を有する当接部１５ｂとが共働して、前側上部パネルを挟持、固定されるようにすることができるので、本発明のケース固定構造及び該ケース固定構造を備えたコントローラは、前側上部パネル６’の面形状が異なっていても、取付け可能とすることができる。
【００３１】
さらに、平面状の前側上部パネル６と曲面状の前側上部パネル６’とが、互いに異なる板厚を有する場合には、平面状の前側上部パネル６の板厚に対応した逆止爪と、曲面状の前側上部パネル６’の板厚に対応した逆止爪を設け、パネルの板厚、面形状に対応した逆止爪と当接部とを共働させて、平面状の前側上部パネル６及び曲面状の前側上部パネル６’を挟持、固定させることができる。
【００３２】
また、フランジ１４の当接部１５と共働して前側上部パネル６、６’を挟持、固定する複数の逆止爪１２ｃ、１２ｄが弾性変形可能に支持された係止片に設けられるので、本発明のケース固定構造を備えたコントローラを取付けるときは、係止片が弾性変形して物品を窓孔部に容易に挿入することができ、コントローラを前側上部パネル６、６’に取付後は、逆止爪によって確実に固定することができる。
【００３３】
フランジ１４の当接部１５は、コントローラ１０の中央部から端部に向かって傾斜する傾斜面１５ｂを有するので、曲面状の前側上部パネル６’は、前記傾斜面に沿って係合部と共働して挟持、固定されるので、物品を確実に取付けることができる。
【００３４】
コントローラ１０は、その中心軸に対し対称に形成されることにより、コントローラ１０は、一対の逆止爪１２ｃ、１２ｄと当接部１５とが共働して被取付板を挟持して固定するので、コントローラ１０は、確実に被取付板に固定される。
【００３５】
前側上部パネル６の板厚、面形状に影響されないで、コントローラ１０を操作しやすい位置、コントローラ１０の視認性が高まる位置またはコントローラ１０を目立たない位置等に、自由に取付けることができるので、操作性、意匠性等を向上させることができる。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、実施例１においては、本発明の物品として、ショーケース用のコントローラに適用した例について説明した。しかし、物品としては、ショーケースコントローラに限らず、ケースをパネルに固定するものであれば物品を問わない。たとえば、温度を表示する温度計、電流を表示する電流計、電圧を表示する電圧計、回転速度を表示する速度計、メッセージを表示する伝言板またはこれらを組み合わせて表示する表示装置のケース固定構造、あるいは端子台の固定構造、ネームプレートの固定構造等に使用することができる。
【００３８】
実施例１の前側上部パネル６’は、凸面状の面形状を有していたが、これに限らず凹面状の面形状に対しても適用できる。
【００３９】
実施例１の係止片１２は、コントローラ１０の短辺側の側壁１１に設けられているが、係止片１２は、コントローラ１０の長辺側の側壁１３（図３参照）に設けてもよい。また、実施例１のコントローラ１０は、その中心軸に対し対称に形成されることにより、一対の側壁１１にそれぞれ係止片１２を設けていたが、一方の側壁１１のみに係止片１２を設けて、コントローラ１０を挟持、固定してもよい。
【００４０】
また、実施例１のショーケース１においては、被取付板として前側上部パネル６に、コントローラ１０を取付けているが、ショーケース１の上部パネル５、前側下部パネル７（図１参照）、あるいはショーケース１の内部に設けることもできる。
【００４１】
さらに、実施例１のショーケース１は、縦型多段型の冷凍冷蔵ショーケースであるが、平型等の冷凍冷蔵ショーケースにも適用できる。
【符号の説明】
【００４２】
１              ショーケース
２              断熱壁
３              保冷室
４              陳列棚
６              平板状の前側上部パネル（被取付板）
６’            曲面状の前側上部パネル（被取付板）
７              窓孔部
８              縁部
８ａ            表面
８ｂ            裏面
９              窓孔部
１０            コントローラ（物品）
１１            側壁
１２            係止片
１２ａ          基部
１２ｂ          傾斜面
１２ｃ          逆止爪（係合部）
１２ｄ          逆止爪（係合部）
１２ｅ          端面
１３            側壁
１４            フランジ部
１５            当接部
１５ａ          当接部
１５ｂ          当接部
１６            表示部
１７            操作部
２０            底面
２１            溝
３０            棒状部材
【図１】
2015150040.tif 000003
【図２】
2015150040.tif 000004
【図３】
2015150040.tif 000005
【図４】
2015150040.tif 000006
【図５】
2015150040.tif 000007
【図６】
2015150040.tif 000008
【図７】
2015150040.tif 000009